(57)【要約】【課題】携帯端末におけるアプリケーション起動操作の省力化が図れるアプリケーション起動方法及びｅラーニングシステムを得る。【解決手段】携帯電話１０に、学習サイトの電話番号とアプリケーションを対応付けたアプリテーブル部１０４５を設け、このアプリテーブル部１０４５を用いて、着信のあった電話番号に対応するアプリケーションがある場合は、当該アプリケーションをユーザによるアプリ起動操作無しに自動的に起動させる。これにより、携帯電話１０のユーザが学習を開始する際に、該当するアプリケーションがあれば、それを起動させる操作が不要となる。特に、携帯電話１０は操作ボタンが小さく且つその数も限られていることから、操作数が減ることは使い勝手向上の点で効果的である。【選択図】      図２
2007052722.tif 000002
【特許請求の範囲】
【請求項１】
ネットワークに接続可能な通信機能を備える携帯端末におけるアプリケーション起動方法において、
アプリケーションを配信するサーバを有するサイトからの電話着信時又は電子メール着信時に前記電話番号又は前記メールアドレスを確認する番号確認工程と、
前記番号確認工程で確認された電話番号又はメールアドレスが、アプリケーションを配信するサイトの電話番号又はメールアドレスと前記サイトの持つアプリケーションを特定可能な情報とを対応付けたデータで構成されるアプリテーブルに登録されているかどうかを確認するアプリ確認工程と、
前記番号確認工程で確認された電話番号又はメールアドレスが前記アプリテーブルに登録されている場合、前記電話番号又は前記メールアドレスに対応するダウンロード済みのアプリケーションを起動するアプリ起動工程と、
を備えるアプリケーション起動方法。
【請求項２】
ネットワークに接続可能な通信機能を備える携帯端末におけるアプリケーション起動方法において、
アプリケーションを配信するサーバを有するサイトからの電話着信時又は電子メール着信時に前記電話番号又は前記メールアドレスを確認する番号確認工程と、
前記番号確認工程で確認された電話番号又はメールアドレスが、アプリケーションを配信するサイトの電話番号と前記サイトのアドレスとを対応付けたデータで構成されるアプリテーブルに登録されているかどうかを確認するアプリ確認工程と、
前記番号確認工程で確認された電話番号又はメールアドレスが前記アプリテーブルに登録されている場合、前記電話番号又は前記メールアドレスに対応するサイトのアドレスにアクセスして該当するアプリケーションをダウンロードするアプリケーション取得工程と、
前記アプリケーション取得工程で取得されたアプリケーションを起動するアプリ起動工程と、
を備えるアプリケーション起動方法。
【請求項３】
ネットワークに接続可能な通信機能を備える携帯端末において、
アプリケーションを配信するサイトからダウンロードしたアプリケーションを保存する保存手段と、
アプリケーションを配信するサイトの電話番号と該サイトの持つアプリケーションを特定可能な情報とを対応付けたデータで構成されるアプリテーブルと、
アプリケーションを配信するサーバを有するサイトからの電話着信時又は電子メール着信時に前記電話番号又は前記メールアドレスが前記アプリテーブルに登録されている場合、前記電話番号又は前記メールアドレスに対応するアプリケーションを前記保存手段から読み出して起動するアプリケーション起動手段と、
を備える携帯端末。
【請求項４】
ネットワークに接続可能な通信機能を備える携帯端末において、
アプリケーションを配信するサイトの電話番号と前記サイトのアドレスとを対応付けたデータで構成されるアプリテーブルと、
アプリケーションを配信するサーバを有するサイトからの電話着信時又は電子メール着信時に前記電話番号又は前記メールアドレスが前記アプリテーブルに登録されている場合、前記電話番号又は前記メールアドレスに対応するサイトのアドレスにアクセスして該当するアプリケーションをダウンロードするアプリケーション取得手段と、
前記アプリケーション取得手段で取得されたアプリケーションを起動するアプリケーション起動手段と、
を備える携帯端末。
【請求項５】
インターネットに接続可能な機能を有する携帯端末を利用したｅラーニングシステムにおいて、
請求項３又は請求項４に記載の携帯端末と、
インターネットを介して学習用のアプリケーションを配信するサーバを有する少なくとも１つの学習サイトと、
を備えるｅラーニングシステム。
【発明の詳細な説明】
【技術分野】
【０００１】
本発明は、インターネットに接続可能な機能を有する携帯電話やＰＤＡ(Personal Digital Assistant)等の携帯端末におけるアプリケーション起動方法及び携帯端末を利用したｅラーニングシステムに関する。
【背景技術】
【０００２】
従来、上述した携帯端末を利用したｅラーニングシステムが提案されている（例えば、特許文献１参照）。従来のｅラーニングシステムでは、学習を開始するときに、ユーザ（学習者あるいは生徒）が、教材のアプリケーションが格納されている学習サイトのサーバにアクセスして所望のアプリケーションをダウンロードした後、それを起動させて学習を行う。
【０００３】
【特許文献１】特開２００４−６１７１４号公報
【発明の開示】
【発明が解決しようとする課題】
【０００４】
しかしながら、従来のｅラーニングシステムにおいては、携帯端末がアプリケーションをダウンロード済みであった場合、あるいはこれからダウンロードしようとする場合でも、ユーザは学習を開始する毎にアプリケーションを起動させる操作を行う必要があり、不便であった。
【０００５】
この発明は係る事情に鑑みてなされたものであり、アプリケーションの起動に係る操作の省力化が図れるアプリケーション起動方法及びｅラーニングシステムを提供することを目的とする。
【課題を解決するための手段】
【０００６】
本発明のアプリケーション起動方法は、ネットワークに接続可能な通信機能を備える通信端末におけるアプリケーション起動方法において、アプリケーションを配信するサーバを有するサイトからの電話着信時又は電子メール着信時に前記電話番号又は前記メールアドレスを確認する番号確認工程と、前記番号確認工程で確認された電話番号又はメールアドレスが、アプリケーションを配信するサイトの電話番号又はメールアドレスと前記サイトの持つアプリケーションを特定可能な情報とを対応付けたデータで構成されるアプリテーブルに登録されているかどうかを確認するアプリ確認工程と、前記番号確認工程で確認された電話番号又はメールアドレスが前記アプリテーブルに登録されている場合、前記電話番号又は前記メールアドレスに対応するダウンロード済みのアプリケーションを起動するアプリ起動工程とを備える。
【０００７】
この構成により、着信のあった電話番号又はメールアドレスに対応するアプリケーションが保存してある場合に当該アプリケーションが起動するので、携帯電話のユーザが学習を開始する際に、該当するアプリケーションがあれば、それを起動させる操作を行う必要がない。また、着信のあった電話番号又はメールアドレスに対応するアプリケーションが保存してある場合に当該アプリケーションが自動で起動するので、例えば、サイトが定期的にユーザの携帯端末に発信することで、ユーザに対して定期的に勉強を行うよう促すことができる。
【０００８】
また、本発明のアプリケーション起動方法は、ネットワークに接続可能な通信機能を備える通信端末におけるアプリケーション起動方法において、アプリケーションを配信するサーバを有するサイトからの電話着信時又は電子メール着信時に前記電話番号又は前記メールアドレスを確認する番号確認工程と、前記番号確認工程で確認された電話番号又はメールアドレスが、アプリケーションを配信するサイトの電話番号と前記サイトのアドレスとを対応付けたデータで構成されるアプリテーブルに登録されているかどうかを確認するアプリ確認工程と、前記番号確認工程で確認された電話番号又はメールアドレスが前記アプリテーブルに登録されている場合、前記電話番号又は前記メールアドレスに対応するサイトのアドレスにアクセスして該当するアプリケーションをダウンロードするアプリケーション取得工程と、前記アプリケーション取得工程で取得されたアプリケーションを起動するアプリ起動工程とを備える。
【０００９】
この構成により、着信のあった電話番号又はメールアドレスに対応するサイトのアドレスにアクセスして該当するアプリケーションをダウンロードして取得し、取得したアプリケーションを起動させるので、携帯電話のユーザが学習を開始する毎にアプリケーションを起動させる操作を行う必要がない。従って、アプリケーションの起動に係る操作の省力化が更に図れる。
【００１０】
また、本発明の携帯端末は、ネットワークに接続可能な通信機能を備える携帯端末において、アプリケーションを配信するサイトからダウンロードしたアプリケーションを保存する保存手段と、アプリケーションを配信するサイトの電話番号と該サイトの持つアプリケーションを特定可能な情報とを対応付けたデータで構成されるアプリテーブルと、アプリケーションを配信するサーバを有するサイトからの電話着信時又は電子メール着信時に前記電話番号又は前記メールアドレスが前記アプリテーブルに登録されている場合、前記電話番号又は前記メールアドレスに対応するアプリケーションを前記保存手段から読み出して起動するアプリケーション起動手段とを備える。
【００１１】
この構成により、着信のあった電話番号又はメールアドレスに対応するアプリケーションを保存していれば、当該アプリケーションを起動させるので、携帯電話のユーザが学習を開始する際に、該当するアプリケーションがあれば、それを起動させる操作を行う必要がない。従って、アプリケーションの起動に係る操作の省力化が図れる。
【００１２】
また、本発明の携帯端末は、ネットワークに接続可能な通信機能を備える携帯端末において、アプリケーションを配信するサイトの電話番号と前記サイトのアドレスとを対応付けたデータで構成されるアプリテーブルと、アプリケーションを配信するサーバを有するサイトからの電話着信時又は電子メール着信時に前記電話番号又は前記メールアドレスが前記アプリテーブルに登録されている場合、前記電話番号又は前記メールアドレスに対応するサイトのアドレスにアクセスして該当するアプリケーションをダウンロードするアプリケーション取得手段と、前記アプリケーション取得手段で取得されたアプリケーションを起動するアプリケーション起動手段とを備える。
【００１３】
この構成により、着信のあった電話番号又はメールアドレスに対応するサイトのアドレスにアクセスして該当するアプリケーションをダウンロードして取得し、取得したアプリケーションを起動させるので、携帯電話のユーザが学習を開始する毎にアプリケーションを起動させる操作を行う必要がない。従って、アプリケーションの起動に係る操作の省力化が更に図れる。
【００１４】
また、本発明のｅラーニングシステムは、インターネットに接続可能な機能を有する携帯端末を利用したｅラーニングシステムにおいて、上述の携帯端末と、インターネットを介して学習用のアプリケーションを配信するサーバを有する少なくとも１つの学習サイトとを備える。
【００１５】
この構成により、携帯端末におけるアプリケーション起動操作の省力化が図れ、使い勝手の良いｅラーニングシステムを提供できる。
【発明の効果】
【００１６】
本発明のアプリケーション起動方法によれば、アプリケーションの起動に係る操作を省略することができ、ユーザにとって使い勝手が向上する。また、着信のあった電話番号又はメールアドレスに対応するアプリケーションが保存してある場合に当該アプリケーションが自動で起動するので、例えば、サイトが定期的にユーザの携帯端末に発信することで、ユーザに対して定期的に勉強を行うよう促すことができる。
【発明を実施するための最良の形態】
【００１７】
以下、本発明を実施するための好適な実施の形態について、図面を参照して詳細に説明する。
【００１８】
（実施の形態１）
図１は、本発明の実施の形態１に係るｅラーニングシステムの概略構成を示すブロック図である。この図において、本実施の形態のｅラーニングシステムは、インターネット接続可能な携帯電話１０と、複数の学習サイト１１ａ、１１ｂ、…、１１ｎと、地図供給サイト１５とを備えて構成され、携帯電話１０と各学習サイト１１ａ〜１１ｎ及び地図供給サイト１５は携帯電話網１３とインターネット１４とで通信可能に接続される。
【００１９】
携帯電話１０は、通常の音声通信機能とインターネット通信機能のほか、ＧＰＳ衛星１７からの信号を受信して位置測定を行い、現在位置を基に地図供給サイト１５から地図データをダウンロードして地図表示する地図表示機能も有している。この場合、インターネット通信においては、各学習サイト１１ａ〜１１ｎ及び地図供給サイト１５との間でデータの送受信を行うためのプロトコルであるＨＴＴＰ(Hyper Text Transfer Protocol)を使用する。
【００２０】
各学習サイト１１ａ〜１１ｎには教育サーバ１２ａ〜１２ｎが備えられており、インターネット１４を介して携帯電話１０との間の双方向通信を司り、携帯電話１０からの要求に応じて教材ソフトウェアであるアプリケーションのダウンロードなどをサービスとして提供する。各教育サーバ１２ａ〜１２ｎには、図示せぬデータベースが接続されており、このデータベースには教材ソフトウェアであるアプリケーションが格納されている。
【００２１】
地図供給サイト１５には地図サーバ１６が備えられており、インターネット１４を介して携帯電話１０との間の双方向通信を司り、携帯電話１０からの要求に応じて地図データのダウンロードなどをサービスとして提供する。地図サーバ１６には、図示せぬデータベースが接続されており、このデータベースには地図データが格納されている。
【００２２】
携帯電話網１３は、電話会社によって設置されるものであり、携帯電話１０との間でパケット通信を制御するためのパケット網（図示略）、携帯電話１０とインターネット１４との間の通信を制御するサーバ（図示略）などを備えている。インターネット１４は、携帯電話網１３を介して携帯電話１０との通信を行うほか、同ネットに接続されるパーソナルコンピュータ（図示略）、サーバ（図示略）などとの通信を司る。
【００２３】
次に、図２は、携帯電話１０の概略構成を示すブロック図である。この図において、携帯電話１０は、アンテナ１０１と、無線部１０２と、ベースバンド部１０３と、制御部１０４と、表示部１０５と、位置検出部１０６と、ＧＰＳ用アンテナ１０７とを備えている。無線部１０２は、アンテナ１０１を介して携帯電話網１３と通信を行って、音声通話や各教育サーバ１２ａ〜１２ｎや地図サーバ１６との通信を実現する。
【００２４】
無線部１０２は、アンテナ１０１で捉えた無線信号を無線周波数からベースバンド周波数へダウンコンバートしてベースバンド部１０３に入力し、またベースバンド部１０３で生成されたベースバンド信号を無線周波数に変換してアンテナ１０１から送信する。
【００２５】
ベースバンド部１０３は、無線部１０２からのベースバンド信号に対して復調等の処理を行って制御部１０４に入力し、また制御部１０４からの送信データに対して変調等を行ってベースバンド信号を生成し、無線部１０２に入力する。
【００２６】
位置検出部１０６は、ＧＰＳ用アンテナ１０７で捉えた信号により現在位置を算出し、その結果をアプリ確認部１０４２に送信する。
【００２７】
制御部１０４は、図示せぬＣＰＵ、ＲＡＭ、ＲＯＭ等を備えて構成され、番号確認部１０４１、アプリ確認部１０４２、ダウンロードファイル保存処理部１０４３、アプリ起動部１０４４を実現する。制御部１０４のＲＡＭには、揮発性のものと不揮発性のものとが搭載されており、揮発性のものはワークメモリとして使用され、不揮発性のものはアプリ確認部１０４２のアプリテーブル部１０４５として使用される。
【００２８】
アプリテーブル部１０４５には、図３に示すように、ダウンロードサイトの電話番号とダウンロードしたアプリケーションを特定できる情報（アプリ＃１、アプリ＃２、…）とを対応付けたデータが記録されるとともに、携帯電話１０の電話番号とＧＰＳ（ＧＰＳ衛星からの電波を受信することを意味する情報）とを対応付けたデータが記録される。
【００２９】
図３では、例えば、電話番号「０３−ａａａａ−ｂｂｂｂ」のサイトからダウンロードしたアプリケーションが、「アプリ＃１」という情報で「０３−ａａａａ−ｂｂｂｂ」と対応付けて記録されている。また、電話番号「０４５−ｘｘｘ−ｘｘｘｘ」のサイトからダウンロードしたアプリケーションが、「アプリ＃２」という情報で「０４５−ｘｘｘ−ｘｘｘｘ」と対応付けて記録されている。また、携帯電話１０の電話番号「０９０−ＸＸＸ−ＸＸＸＸ」をＧＰＳと対応付けて記録されている。
【００３０】
ダウンロードした実際のアプリケーションは、図示しないフラッシュメモリ等の不揮発性メモリに格納される。この不揮発性メモリはダウンロードファイル保存部１０４３にて使用される。なお、この不揮発性メモリは、アプリテーブル部１０４５に使用する不揮発性メモリと共用であっても構わない。
【００３１】
図２に戻り、番号確認部１０４１は、着信時の電話番号の確認を行う。アプリ確認部１０４２は、番号確認部１０４１が確認した電話番号に対し、アプリテーブル部１０４５を参照して電話番号と対応しているアプリケーションの確認を行う。着信した電話番号と対応するアプリケーションがある場合は、そのアプリケーションを起動する指示をアプリ起動部１０４４に与える。
【００３２】
着信した電話番号と対応するアプリケーションがない場合は、アプリ起動部１０４４に対し、当該アプリケーションのダウンロードを促すメッセージを表示部１０５に表示させる指示を与える。
【００３３】
また、アプリ確認部１０４２は、着信した電話番号がＧＰＳに対応していれば、地図を表示する指示をアプリ起動部１０４４に与えるとともに、ＧＰＳ用アンテナ１０７が受信したＧＰＳ衛星１７からの信号を基に位置検出部１０６が位置測定を行い、得られた現在位置を基に地図供給サイト１５にアクセスして現在位置が含まれる地図データをダウンロードする。ダウンロードした地図データはダウンロードファイル保存部１０４３に格納される。
【００３４】
アプリ起動部１０４４は、アプリ確認部１０４２から指示されたアプリケーションをダウンロードファイル保存部１０４３から読み出して起動する。また、アプリ確認部１０４２からアプリケーションのダウンロードを促す指示を受けた場合には、その旨をユーザに通知するメッセージを表示部１０５に表示する。
【００３５】
ユーザは、この表示を確認することで、アプリケーションをダウンロードするための操作を行う。この操作により、目的のサイトから該当するアプリケーションがダウンロードされてダウンロードファイル保存部１０４３に格納される。
【００３６】
また、アプリ起動部１０４４は、アプリ確認部１０４２から指示された地図データをダウンロードファイル保存部１０４３から読み出して表示部１０５に表示する。表示部１０５は、液晶ディスプレイを有し、この液晶ディスプレイに、アプリケーションや地図を表示する。なお、この表示部１０５には、その他に、ブラウザの表示や、電話や電子メールの機能を使用する際の表示が行われる。
【００３７】
なお、上記ダウンロードファイル保存部１０４３は、保存手段に対応する。また、番号確認部１０４１、アプリ確認部１０４２及びアプリ起動部１０４４は、アプリケーション起動手段を構成する。また、アプリ確認部１０４２は、アプリケーション取得手段に対応する。
【００３８】
次に、上記構成のｅラーニングシステムの動作について、図４に示すフローチャートを参考に説明する。
【００３９】
例えば、学習サイト１１ａのサーバ１２ａにて発信が行われて（ステップＳＴ１）、携帯電話１０に着信があると、携帯電話１０の番号確認部１０４１が電話番号を確認する（ステップＳＴ２）。
【００４０】
そして、確認した電話番号を基にアプリ確認部１０４２がアプリテーブル部１０４５を参照して（ステップＳＴ３）、アプリケーションの有無を判定する（ステップＳＴ４）。確認した電話番号に対応するアプリケーションがあると、そのアプリケーションを起動するようアプリ起動部１０４４に指示する。アプリ起動部１０４４は、アプリケーション起動指示を受けると、ダウンロードファイル保存部１０４３から該当するアプリケーションを読み出して起動する（ステップＳＴ５）。これにより、学習が開始される。
【００４１】
確認した電話番号に対応するアプリケーションがない場合、アプリ確認部１０４２は、ステップＳＴ６でＧＰＳの有無を判定し、確認した電話番号に対応するＧＰＳがなければ、確認した電話番号に対応するアプリケーションのダウンロードを促すメッセージを表示部１０５に表示するようにアプリ起動部１０４４に指示し、この指示をユーザが確認することで、着信のあった学習サイト１１ａにアクセスする操作を行う（ステップＳＴ７）。
【００４２】
この操作により、アプリ確認部１０４２が学習サイト１１ａの教育サーバ１２ａにアクセスする。これにより、教育サーバ１２ａから目的のアプリケーションがダウンロードされる（ステップＳＴ８）。
【００４３】
ダウンロードされたアプリケーションはダウンロードファイル保存部１０４３に格納され、その後、ダウンロードしたアプリケーションが学習サイト１１ａの電話番号に対応付けられてアプリテーブル部１０４５に保存される（ステップＳＴ９）。アプリ起動部１０４４は、ダウンロードファイル保存部１０４３から該当するアプリケーションを読み出して起動する（ステップＳＴ１０）。これにより、学習が開始される。
【００４４】
一方、ステップＳＴ６の判定において、アプリ確認部１０４２は、確認した電話番号に対応するＧＰＳがある場合は、アプリ確認部１０４２が地図供給サイト１５の地図サーバ１６にアクセスする（ステップＳＴ１１）。これにより、地図サーバ１６から目的の地図データがダウンロードされる（ステップＳＴ１２）。
【００４５】
アプリ起動部１０４４は、ダウンロードしたアプリケーションを表示部１０５に表示する（ステップＳＴ１３）。このように、着信時の電話番号から該当するアプリケーションがあれば、そのアプリケーションを自動的に起動する。また、携帯電話１０に電話をかけることで、表示部１０５に現在位置を含む地図を表示する。
【００４６】
このように、本実施の形態のｅラーニングシステムでは、携帯電話１０に、学習サイトの電話番号とアプリケーションを対応付けると共に携帯電話１０の電話番号とＧＰＳを対応付けたアプリテーブル部１０４５を設け、このアプリテーブル部１０４５を用いて、着信のあった電話番号に対応するアプリケーションがある場合は、当該アプリケーションをユーザによるアプリ起動操作無しに自動的に起動させるので、携帯電話１０のユーザが学習を開始する際に、該当するアプリケーションがあれば、それを起動させる操作が不要となる。特に、携帯電話は操作ボタンが小さく且つその数も限られていることから、操作数が減ることは使い勝手向上の点で効果的である。
【００４７】
また、携帯電話１０に、現在位置を含む地図を表示できるので、携帯電話１０を紛失した場合に、拾った人に最寄りの警察の場所を知らせることができる。これにより、携帯電話１０を拾った人が交番へ届ける機会を増やすことができ、紛失しても戻ってくる割合を高めることができる。
【００４８】
（実施の形態２）
次に、本発明の実施の形態２に係るｅラーニングシステムについて説明する。実施の形態２のｅラーニングシステムは、前述した実施の形態１のｅラーニングシステムと同一の構成を採るので、図１を援用する。また、実施の形態２における携帯電話についても実施の形態１のｅラーニングシステムにおける携帯電話１０と同一の構成を採るので、図２を援用する。
【００４９】
実施の形態２と実施の形態１との違いは、実施の形態１では、学習サイトの電話番号とアプリケーションを対応付けたのに対し、実施の形態２では、図５に示すように、電話番号と学習サイトの教育サーバのアドレス（あるいは、サーバへのアクセス番号、ＵＲＬ(Uniform Resource Locator)など）を対応付けた点にある。
【００５０】
学習サイトの教育サーバのアドレスとアプリケーションを対応付けることで、電話の着信時に、その電話番号に対応している教育サーバのアドレスに接続して、該当するアプリケーションをダウンロードし、ダウンロードしたアプリケーションを起動することが可能となる。すなわち、サーバ接続からアプリケーション起動まで一気に行うことができる。本実施の形態では、学習を開始する毎にアプリケーションをダウンロードして起動するので、上述した実施の形態１よりも更にアプリケーションの起動に係る操作の省力化が図れる。
【００５１】
なお、上記実施の形態では、電話番号を用いたが、電子メールアドレスを用いても構わない。
【００５２】
また、上記実施の形態では、携帯電話１０に電話をかけた場合、地図のみ表示するようにしたが、同時に所定のメッセージ（例えば「拾った方は最寄りの交番に届けて下さい」）を表示するようにしても良い。
【産業上の利用可能性】
【００５３】
本発明は、学習を開始する毎にアプリケーションを起動させる操作を行う必要がないといった効果を有し、携帯電話等の携帯端末を利用したｅラーニングシステムへの適用が可能である。
【図面の簡単な説明】
【００５４】
【図１】本発明の実施の形態１に係るｅラーニングシステムの概略構成を示すブロック図
【図２】図１のｅラーニングシステムにおける携帯電話の概略構成を示すブロック図
【図３】図１のｅラーニングシステムにおける携帯電話が有するアプリテーブル部に記録されるデータ構造を示す図
【図４】図１のｅラーニングシステムの動作を説明するためのフロー図
【図５】本発明の実施の形態２に係るｅラーニングシステムにおける携帯電話が有するアプリテーブル部に記録されるデータ構造を示す図
【符号の説明】
【００５５】
１０  携帯電話
１１ａ〜１１ｎ  学習サイト
１２ａ〜１２ｎ  教育サーバ
１３  携帯電話網
１４  インターネット
１５  地図供給サイト
１６  地図サーバ
１７  ＧＰＳ衛星
１０１  アンテナ
１０２  無線部
１０３  ベースバンド部
１０４  制御部
１０５  表示部
１０６  位置検出部
１０７  ＧＰＳ用アンテナ
１０４１  番号確認部
１０４２  アプリ確認部
１０４３  ダウンロードファイル保存部
１０４４  アプリ起動部
１０４５  アプリテーブル部
【図１】
2007052722.tif 000003
【図２】
2007052722.tif 000004
【図３】
2007052722.tif 000005
【図４】
2007052722.tif 000006
【図５】
2007052722.tif 000007